(57)【要約】【課題】一方の部材に爪部材を設けて、これを回動することにより他方の部材に形成した嵌合室へ挿入嵌合して連結するものにおいて、前記の嵌合状態での爪部材の回動を阻止して、両部材の連結状態を確実に保持するようにする。【解決手段】連結する他方の部材３側に、該他方の部材３の軸方向と直交する方向に爪部材１９を突設し、連結する一方の部材２側には、前記他方の部材３を回転して爪部材１９を回動することによりその爪部材１９を嵌合できる嵌合室１４を設けて、前記爪部材１９を前記嵌合室１４に嵌合することにより前記両部材２，３を相互に連結する連結装置において、前記爪部材１９が嵌合室１４内に嵌合した状態においてその爪部材１９の回動を阻止する回動阻止手段１６，２３を設ける。【選択図】　　　　　図１
2004060725.tif 000002
【特許請求の範囲】
【請求項１】
連結する他方の部材（３）側に、該他方の部材（３）の軸方向と直交する方向に爪部材（１９）を突設し、連結する一方の部材（２）側には、前記他方の部材（３）を回転して爪部材（１９）を回動することによりその爪部材（１９）を嵌合できる嵌合室（１４）を設けて、前記爪部材（１９）を前記嵌合室（１４）に嵌合することにより前記両部材（２）（３）を相互に連結する連結装置において、
前記爪部材（１９）が嵌合室（１４）内に嵌合した状態においてその爪部材（１９）の回動を阻止したり、これを解除する回動阻止手段を設けたことを特徴とする連結装置。
【請求項２】
連結する一方の部材（２）側に環状の係止板（１０）を固着するとともに該係止板（１０）の内周側に係止片（１２）を突設して、該係止片（１２）と前記一方の部材（２）間に嵌合室（１４）を形成し、かつ、前記係止片（１２）は係止板（１０）の周方向に所定の間隔で複数設けてこれら係止板（１０）相互の間に挿入口（１３）を設け、
連結する他方の部材（３）側には、その軸方向の端部において軸方向と直交する方向に突出する爪部材（１９）を設けるとともに、該爪部材（１９）を、前記挿入口（１３）から挿入でき、かつ、この挿入後に他方の部材（３）を回動することにより前記嵌合室（１４）内へ挿入嵌合できる形状に形成し、
更に、他方の部材（３）側には、その軸方向の端部から出没するストッパ部材（２２）を設けるとともに該ストッパ部材（２２）を出没させる操作レバー（３１）を設け、
更に、前記ストッパ部材（２２）の先部には、他方の部材（３）の回転中心から外れた位置にストッパ（２３）を突設し、前記一方の部材（２）側には、前記爪部材（１９）を前記嵌合室（１４）に嵌合した状態において、前記ストッパ（２３）と対向する位置に係止穴（１６）を形成し、ストッパ部材（２２）を突出移動した際にストッパ（２３）が係止穴（１６）に嵌入係止するようにしたことを特徴とする連結装置。
【請求項３】
前記操作レバー（３１）によるストッパ部材（２２）の出没動作を、トグル機構を介して行うようにした請求項２記載の連結装置。
【発明の詳細な説明】
【０００１】
【発明の属する技術分野】
本発明は連結装置に関するもので、例えばテーブルの天板とその支脚とを連結したり、或いはパーテーションの支柱とそのベースとを連結したり、その他の部材相互を連結するための連結装置に関する。
【０００２】
【従来の技術】
従来、図１４に示すように、連結すべき一方の部材であるテーブルの天板１０１と他方の部材である支脚１０２を連結する連結装置として、天板１０１の下面に雌型金具１０３を固設し、該雌型金具１０３に円形状の嵌合室１０４を形成するとともにこの嵌合室１０４を形成する下板１０５に、直径方向の挿入口１０６を形成し、また、支脚１０２の上端には前記挿入口１０６に挿入する爪部材１０７を突設して、該爪部材１０７を前記挿入口１０６に挿入した後、支脚１０２とともに、爪部材１０７を回転することにより、該爪部材１０７を嵌合室１０４内に嵌入して下板１０５の内面に係止させ、支脚１０２を天板１０１に連結するようにした連結装置が知られている。
【０００３】
【発明が解決しようとする課題】
前記従来の連結装置においては、前記下板１０５の内面にテーパ部を設けて爪部材１０７が食い込むようにしているが、経年により下板１０５がへたり、爪部材１０７と下板１０５間に緩み（ガタ）が生じ、テーブルの移動等の際に支脚１０２が緩み方向に回転して天板１０１から外れるおそれがある。
【０００４】
そこで本発明は、連結後において、前記のような緩み方向の回転が生じないようにして前記のような外れを防止できる連結装置を提供することを目的とするものである。
【０００５】
【課題を解決するための手段】
前記の課題を解決するために、請求項１記載の第１の発明は、連結する他方の部材（３）側に、該他方の部材（３）の軸方向と直交する方向に爪部材（１９）を突設し、連結する一方の部材（２）側には、前記他方の部材（３）を回転して爪部材（１９）を回動することによりその爪部材（１９）を嵌合できる嵌合室（１４）を設けて、前記爪部材（１９）を前記嵌合室（１４）に嵌合することにより前記両部材（２）（３）を相互に連結する連結装置において、
前記爪部材（１９）が嵌合室（１４）内に嵌合した状態においてその爪部材（１９）の回動を阻止したり、これを解除する回動阻止手段を設けたことを特徴とする連結装置である。
【０００６】
請求項２記載の第２の発明は、連結する一方の部材（２）側に環状の係止板（１０）を固着するとともに該係止板（１０）の内周側に係止片（１２）を突設して、該係止片（１２）と前記一方の部材（２）間に嵌合室（１４）を形成し、かつ、前記係止片（１２）は係止板（１０）の周方向に所定の間隔で複数設けてこれら係止板（１０）相互の間に挿入口（１３）を設け、
連結する他方の部材（３）側には、その軸方向の端部において軸方向と直交する方向に突出する爪部材（１９）を設けるとともに、該爪部材（１９）を、前記挿入口（１３）から挿入でき、かつ、この挿入後に他方の部材（３）を回動することにより前記嵌合室（１４）内へ挿入嵌合できる形状に形成し、
更に、他方の部材（３）側には、その軸方向の端部から出没するストッパ部材（２２）を設けるとともに該ストッパ部材（２２）を出没させる操作レバー（３１）を設け、
更に、前記ストッパ部材（２２）の先部には、他方の部材（３）の回転中心から外れた位置にストッパ（２３）を突設し、前記一方の部材（２）側には、前記爪部材（１９）を前記嵌合室（１４）に嵌合した状態において、前記ストッパ（２３）と対向する位置に係止穴（１６）を形成し、ストッパ部材（２２）を突出移動した際にストッパ（２３）が係止穴（１６）に嵌入係止するようにしたことを特徴とする連結装置である。
【０００７】
請求項３記載の第３の発明は、前記第２の発明において、前記操作レバー（３１）によるストッパ部材（２２）の出没動作を、トグル機構を介して行うようにした連結装置である。
【０００８】
【発明の実施の形態】
本発明の実施の形態を図１乃至図１３に示す実施例に基づいて説明する。
【０００９】
本発明は図１に示すような一方の連結部材であるテーブル１における天板２と、他方の部材である支脚３との連結或いは図２に示すようなパーテーション４を支持する他方の連結部材である支柱５と一方の連結部材である支柱用ベース６との連結などに用いられるものであるが、以下、図１に示すようなテーブル１の天板２と支柱３との連結に使用した実施例で説明する。
【００１０】
図３乃至図１１は第１実施例を示す。
２は一方の部材であるテーブル１の天板で、その下面における支脚取付部には連結ベース金具７がビス８により固着されている。該連結ベース金具７は、円盤状の基板９と、該基板９の下面に固着した環状の係止板１０とからなる。係止板１０内には嵌合室１１が、その周壁面を図８に示すように所定の半径Ｒ１として形成されている。更に、連結ベース金具７には、その前記嵌合室１１の外面側、すなわち下面側に位置して係止片１２が、径方向の内側へ突出して一体形成されている。該係止片１２は、その突出長Ｌ２を所定量として、係止板１０の軸芯から係止片１２の内周端面１２ａまでの半径Ｒ２を所定量とし、かつ、係止板１０の周方向に複数、図の実施例では３個、等間隔に設けられている。また、前記各係止片１２の内周端面１２ａの内側で支脚３の上端部を嵌合する嵌合口１０ａが形成されている。
【００１１】
したがって、前記各係止片１２の周方向の長さＬ３が所定の長さに形成され、かつ、周方向における各係止片１２の相互の間隔Ｌ４が所定の長さに形成され、これら係止片１２の相互の間に長さがＬ４の挿入口１３が開口されている。
【００１２】
以上の構成により、基板９と係止片１２との間に形成された係止用の嵌合室１４と前記挿入口１３とが連通されている。また、前記１個の係止片１２には指標穴１５が貫通形成されている。
【００１３】
また、前記基板９には、前記係止片１２よりも内側であって、かつ、軸芯から外れた位置に回動阻止手段を構成する係止穴１６が形成されている。図の実施例では、この係止穴１６は２個形成されているが、１個或いは３個以上でもよい。
【００１４】
次に、支脚３側について説明する。
支脚３は、円筒状の中空パイプで形成され、その上端部に円筒状の連結金具１７が上方から嵌合されてビス１８により支脚３に固定されている。支脚３の半径Ｒ３は前記係止片１２の内周端面１２ａの半径Ｒ２より若干小径に形成され、支脚３の上端部が前記係止片１２の内側で形成された嵌合口１０ａに嵌合するようになっている。
【００１５】
前記連結金具１７の上端部には、支脚３の外周面よりも外側へ、すなわち支脚３の軸方向と直交する方向へ突出する板状の爪部材１９が一体に突出されている。該爪部材１９は、前記挿入口１３に対応して、周方向に複数個、図の実施例では図９に示すように３個、等間隔に設けられている。更に、連結金具１７の軸芯から爪部材１９の基部までの半径Ｒ４は前記支脚３の半径Ｒ３と同等に設定され、軸芯から爪部材１９の外周面までの半径Ｒ５は、前記連結ベース金具７における嵌合室１４の周壁面の半径Ｒ１よりも若干短く、かつ、係止片１２の内周端面１２ａの半径Ｒ２よりも長く設定されている。更に、爪部材１９の周方向の長さＬ５は前記連結ベース金具７における挿入口１３の周方向の長さＬ４よりも若干短く設定されている。更に、爪部材１９の板厚は、図４乃至図７に示すように、前記嵌合室１４内にほぼ一ぱいに嵌入できる厚さに形成されている。
【００１６】
したがって、爪部材１９は、これを連結ベース金具７における挿入口１３から挿入した後に連結金具１７を周方向Ａ−Ｂのいずれか一方へ回転することにより、連結金具１７における嵌合室１４内に嵌入するようになっている。
【００１７】
前記爪部材１９の１つには、該爪部材１９を嵌合室１４内の所定位置に嵌入した状態において、前記指標穴１５から覗き見できる指標２０が設けられている。
【００１８】
前記連結金具１７には、その外端面、図の実施例では上端面が開口する環状の案内溝２１が軸方向に沿って形成されており、該案内溝２１内にストッパ部材２２が軸方向に摺動可能に、図の実施例では昇降可能に備えられている。更に、該ストッパ部材２２の上端には前記連結ベース金具７の基板９に形成した係止穴１６に嵌入するようにした回動阻止手段を構成するストッパ２３が一体に突設されている。このストッパ２３の形成位置は、前記の指標２０を指標穴１５に位置させた状態において、ストッパ２３が係止穴１６に合致する位置に設定されている。該ストッパ２３は、図の実施例では、係止穴１６に対応して図９に示すように２個形成されている。更に、ストッパ部材２２は、その先部（上端面）及びストッパ２３が連結金具１７の先端面から出没するように、摺動（昇降）可能に設けられている。
【００１９】
前記連結金具１７内には中空部２４が形成されているとともにその周壁には、図４及び図５に示すように、連結金具１７の軸方向に沿って案内長孔２５が形成されている。そして、図５に示すように、前記中空部２４を貫通して第１軸２６が水平方向に設けられているとともにその第１軸２６の両端が前記案内長孔２５に遊嵌されており、かつ、この第１軸２６が前記ストッパ部材２２に貫通しており、第１軸２６の昇降によってストッパ部材２２が昇降移動するようになっている。
【００２０】
前記中空部２４内における前記第１軸２６の下方には、第２軸２７が、第１軸２６と平行して水平方向に貫通して設けられ、その両端が連結金具１７の周壁に固着されている。
【００２１】
更に、前記中空部２４内には、前記第１軸２６に回転可能に備えられた第１リンク２８が設けられ、また、前記第２軸２７に回転可能に備えられた第２リンク２９が設けられている。更に、前記第１リンク２８と第２リンク２９は相互に、前記第１軸２６と第２軸２７の中間部において第３軸３０により回転可能に連結されているとともに、第２リンク２９の正逆回転により、第３軸３０が、第１軸２６と第２軸２７とを結ぶ線（死点）Ｘを超えるようになっており、第３軸３０が死点Ｘを超えることにより、その位置が保持されるトグル機構を構成している。
【００２２】
前記第２リンク２９には操作レバー３１が一体的に固着されており、該操作レバー３１が第２軸２７を中心として第２リンク２９と一体に回動するようになっている。また、該操作レバー３１の操作端３１ａは、前記支脚３に形成した窓３２から出没可能に形成され、該操作端３１ａを図４に示すように支脚３外へ起こした場合には前記ストッパ２３が解除状態になり、図６に示すように窓３２内へ倒した場合にはストッパ２３がロック状態になるようになっている。
【００２３】
前記窓３２の周囲には樹脂製のレバーカバー３３が設けられている。
次に支脚３を天板２に対して連結したり分離する操作について説明する。
【００２４】
先ず、操作レバー３１を図４に示すように起こしてストッパ２３が解除された状態であって、図３に示す分離状態から、支脚３側における連結金具１７に形成した爪部材１９を天板２側における連結ベース金具７に形成した挿入口１３の下側に位置させて支脚３を上動させ、その爪部材１９を挿入口１３から挿入する。なお、実際の連結操作においては、天板２を、その連結ベース金具７側が上向きになるようにして床等上に置き、支脚３の爪部材１９を連結ベース金具７へ降下させるようにする。
【００２５】
次に、支脚３を、その軸芯を中心として一方向に回転して、その爪部材１９を回転させ、該爪部材１９を連結ベース金具７における嵌合室１４内へ挿入嵌合させるとともに、その回転を、指標穴１５内を覗きながら、指標２０が指標穴１５内に表れたときに停止させる。これにより、各爪部材１９は図４及び図５に示すように、各係止片１２の裏側に重合した状態に位置する。
【００２６】
次に、図４及び図５に示す状態から、操作レバー３１を図４の矢印Ｃ方向へ動かして支脚３の窓３２側へ倒す。これにより第２リンク２９とともに第３軸３０が第２軸２７を中心として図示時計方向に回動し、第２リンク２８を図４において上動させる。この上動に伴い、第１軸２６が上動し、該第１軸２６に設けられたストッパ部材２２が上動する。そして、ストッパ部材２２の先端面（上面）が連結金具１７の上端面から突出して図６及び図７に示すように基板９の下面に圧接すると、前記第３軸３０が図６に示すように、死点Ｘを超えた位置に達する。このストッパ部材２２の圧接により爪部材１９の下面側が係止片１２に圧接し、連結金具１７が連結ベース金具７に対して軸方向にガタつきなく連結される。
【００２７】
また、前記のようにストッパ部材２２が上動すると、そのストッパ２３が基板９に形成した係止穴１６内に嵌入してストッパ部材２２の周方向への回動が阻止（ロック）される。これにより、第１軸２６を介してストッパ部材２２と連結された連結金具１７の周方向への回動が阻止され、支脚３の回動も阻止される。したがって、支脚３が天板２に対して不用意に回動して爪部材１９が係止片３０から外れることを防止する。
【００２８】
前記の連結状態（ロック状態）は、第３軸３０が死点Ｘを超えていることにより保持される。また、この連結状態では、図６に示すように操作レバー３１の操作端３１ａが窓３２内に収納された状態になる。
【００２９】
以上のようであるから、支脚３が天板２に対し、支脚３の軸方向においてガタつきなく連結されるが、仮に経年によって係止片１２にへたりが発生しても、ストッパ２３と係止穴１６との係止により爪部材１９の周方向への回動が阻止されているため、支脚３が不用意に回動して爪部材１９が係止片１２より外れて支脚３が天板２より外れることがない。
【００３０】
次に、前記の連結状態から支脚３を天板２より分離する場合には、図６に示す倒伏状態の操作レバー３１を図４に示すように起こすことにより、前記のストッパ２３が係止穴１６から外れるとともに爪部材１９の圧接が解除される。そして、支脚３を一方向に回動して爪部材１９を挿入口１３に位置させることにより支脚３を天板２から分離することができる。
【００３１】
図１２は本発明の第２実施例を示す。
前記第１実施例においては、爪部材１９の回転位置を指標２０と指標穴１５とで定めたが、図１２に示す第２実施例では、爪部材１９の周方向の一端に下方へ折曲したストッパ片４０を形成し、爪部材１９を図１２の矢印Ｄ方向へ回転して前記の嵌合室１４へ挿入嵌合した場合に、ストッパ片４０が前記係止片１２の一方の端面に係止して、爪部材１９の回転が規制され、爪部材１９が所定位置で停止するようにしたものである。
【００３２】
このように、ストッパ片４０が係止穴１２の一方の端面に係止した位置において、前記ストッパ２３が係止穴１６に位置するようにすれば、爪部材１９を所定位置（ロック位置）に停止させることが容易になる。
【００３３】
また、前記爪部材１９の下面に、図１２に示すように、周方向において前記ストッパ片４０側が高くなるテーパ部４１を形成してもよい。このようなテーパ部４１を形成することにより、爪部材１９の嵌合時のガタつきを一層防止することができる。
【００３４】
図１３は本発明の第３実施例を示す。
本第３実施例は、前記第１実施例における係止片１２の周方向の一方に、ストッパ片４２を上方へ折曲して形成し、前記第１実施例における爪部材１９を嵌合室１４へ挿入嵌合した場合に、爪部材１９がストッパ片４２に係止して、爪部材１９の回転が規制されるようにしたものである。
【００３５】
このように、爪部材１９がストッパ片４２に係止した位置において、前記ストッパ２３が係止穴１６に位置するようにすれば、爪部材１９を所定位置（ロック位置）に停止させることが容易になる。
【００３６】
なお、前記実施例は本発明をテーブルの天板と支脚との連結に適用した例であるが、図２に示すようなパーテーションにおいて、前記連結ベース金具７を図２に示す支柱用ベース６に付設し、前記連結金具１７を図２に示す支柱５に付設して、支柱５と支柱用ベース６との連結に用いてもよく、また、その他の部材相互の連結に用いてもよい。
【００３７】
【発明の効果】
以上のように本発明によれば、連結する一方の部材に設けた嵌合室に、連結する他方の部材に設けた爪部材を回動して嵌合した状態において、一方の部材に設けたストッパを他方の部材に設けた係止穴に係止して、両部材相互の回動を阻止できるようにしたので、仮に経年により爪部材と嵌合室との圧着が緩んでも爪部材の回動が阻止され、両部材の連結状態を確実に保持することができる。
【図面の簡単な説明】
【図１】本発明の連結装置を適用したテーブルの斜視図。
【図２】本発明の連結装置を適用したパーテーションの斜視図。
【図３】本発明の第１実施例を示す正面図。
【図４】図１に示す実施例における連結操作の途中状態であって、ロックをかけていない状態の側断面図。
【図５】図４に示すＥ−Ｅ線断面図。
【図６】図４の状態からロックをかけた状態の側断面図。
【図７】図６におけるＦ−Ｆ線断面図。
【図８】図４における連結ベース金具を示す平面図。
【図９】図４の連結金具を示す底面図。
【図１０】図８の連結ベース金具を示す斜視図。
【図１１】図９の連結金具を示す斜視図。
【図１２】本発明の第２実施例の連結金具を示す斜視図。
【図１３】本発明の第３実施例の連結ベース金具を示す斜視図。
【図１４】従来の連結装置を示す斜視図。
【符号の説明】
２　　一方の部材である天板
３　　他方の部材である支脚
１０　　係止板
１２　　係止片
１３　　挿入口
１４　　嵌合室
１６　　係止穴（回動阻止手段）
１９　　爪部材
２２　　ストッパ部材
２３　　ストッパ（回動阻止手段）
３１　　操作レバー
【図１】
2004060725.tif 000003
【図２】
2004060725.tif 000004
【図３】
2004060725.tif 000005
【図４】
2004060725.tif 000006
【図５】
2004060725.tif 000007
【図６】
2004060725.tif 000008
【図７】
2004060725.tif 000009
【図８】
2004060725.tif 000010
【図９】
2004060725.tif 000011
【図１０】
2004060725.tif 000012
【図１１】
2004060725.tif 000013
【図１２】
2004060725.tif 000014
【図１３】
2004060725.tif 000015
【図１４】
2004060725.tif 000016